(57)【要約】【課題】シザーズギヤの付勢手段の付勢力を小さくすることができ、十分なバックラッシュ低減効果を得ることができるリール装置を提供する。【解決手段】複数の図柄１０が形成されたリール帯９と、リール帯９が外周面に設けられたリールドラム３と、リールドラム３の内周面に噛合され、リールドラム３を所定位置で回転可能に保持する複数のギヤ４と、複数のギヤ４のうち少なくとも一つのギヤを回転駆動する駆動機構７と、リールドラム３を任意の回転角度で停止可能に回転させるように駆動機構７を制御する駆動制御装置８とを有しており、ギヤ４のうち少なくとも一つのギヤは、駆動機構７により回転駆動されるメインギヤ１２と、該メインギヤ１２と同形状の歯を有し、メインギヤ１２に対して相対的に回転自在に隣接されたサブギヤ１３と、メインギヤ１２とサブギヤ１３とを、回転方向で相反する方向に付勢する付勢手段１４とを有しているシザーズギヤ５である。【選択図】図１
2010005160.tif 000002
【特許請求の範囲】
【請求項１】
複数の図柄が形成されたリール帯と、
前記リール帯が外周面に設けられたリールドラムと、
前記リールドラムの内周面に噛合され、前記リールドラムを所定位置で回転可能に保持する複数のギヤと、
前記複数のギヤのうち少なくとも一つのギヤを回転駆動する駆動機構と、
前記リールドラムを任意の回転角度で停止可能に回転させるように前記駆動機構を制御する駆動制御装置とを有しており、
前記ギヤのうち少なくとも一つのギヤは、
前記駆動機構により回転駆動されるメインギヤと、
該メインギヤと同形状の歯を有し、メインギヤに対して相対的に回転自在に隣接されたサブギヤと、
前記メインギヤと前記サブギヤとを、回転方向で相反する方向に付勢する付勢手段とを有しているシザーズギヤであることを特徴とするリール装置。
【請求項２】
前記シザーズギヤが複数であることを特徴とする請求項１に記載のリール装置
【請求項３】
前記ギヤを前記リールドラムに押圧する押圧機構を有することを特徴とする請求項１〜２に記載のリール装置。
【請求項４】
前記シザーズギヤにおける前記サブギヤの軸方向への傾動を防止する傾動防止機構が設けられていることを特徴とする請求項１〜３に記載のリール装置。
【請求項５】
前記シザーズギヤの付勢手段が一つのバネ部材からなる請求項１〜４に記載のリール装置。
【発明の詳細な説明】
【技術分野】
【０００１】
本発明は、パチスロ遊技装置、パチンコ遊技装置、スロットマシーンなどの遊技機に組み込まれているリール装置に関する。
【背景技術】
【０００２】
スロットマシンには、複数のリール装置が設けられており、該リール装置は複数の図柄がつらなったリール帯を外周に設けたリールドラムを有している。このリールドラムは、該リールドラムの中心から放射状に延びた複数のアームと、各アームが支持する環状外周部とから構成されている。また、リールドラムは、該リールドラムの回転軸と、ステッピングモータ（駆動機構）の回転駆動力をリールドラムに伝達させる動力伝達部の駆動軸とが、同一の軸心となるようにリール装置に取り付けられている。
【０００３】
一般的なスロットマシーンには、このようなリール装置が例えば三つ設けられており、外部からの操作指示に応じて、各リール装置のリールドラムが回転・停止されるように取り付けられている。また、リールドラムが停止した時の、遊技者方向に臨む図柄の組合せによって、遊技者が入賞したか否かを判断するため、リール装置は、図柄を精度よく停止させることが要求されている。
【０００４】
ところで、このようなリールドラムとギヤとの歯面間には、バックラッシュがあるため、トルクが変動した時に生ずる歯面の分離及び再接触により、歯打音による騒音が発生したり、ギヤが振動してしまうという問題がある。また、このバックラッシュにより、図柄の停止位置が安定せず、リールドラムに設けられたリール帯の図柄を、精度良く停止させることが困難であるという問題がある。さらに、このバックラッシュは、ギヤが摩耗するにつれて大きくなるため、長期間使用した場合、図柄を停止させる精度はさらに悪くなる。このため、図柄の大きさは、バックラッシュによる停止位置のバラツキを考慮した大きさにしなければならなかった。
【０００５】
そこで、このバックラッシュを低減する歯車として知られているシザーズギヤを用いたリール装置が開示されている（特許文献１及び特許文献２）。これにより、ギヤのバックラッシュを低減し、ギヤが振動しづらい構成にすると共に、図柄を精度よく停止させることを可能にしている。
【０００６】
ここで、シザーズギヤとは、回転軸に固定されるメインギヤと、このメインギヤと同形状の歯を有し、メインギヤに対して相対的に回転自在に連結されたサブギヤと、メインギヤとサブギヤとを、回転方向で相反する方向に付勢する付勢手段とを有したギヤのことである。このメインギヤとサブギヤとを相手側のギヤに噛み合わせ、相手側のギヤをメインギヤとサブギヤの歯で挟み込むことで、相手側とのバックラッシュを低減することを可能にしている（特許文献３、特許文献４、特許文献５、特許文献６、特許文献７及び特許文献８）。
【０００７】
【特許文献１】特開２００７−５００３８号公報
【特許文献２】特開２００４−３５８２１６号公報
【特許文献３】特開平９−１７０６４８号公報
【特許文献４】特許第３２７３７２０号公報
【特許文献５】特開２００７−７１３６６号公報
【特許文献６】実用新案登録第２５４２９２７号公報
【特許文献７】特許第２８７１１９４号公報
【特許文献８】特開平１１−３０３９７４号公報
【特許文献９】特開２００１−１２４１８４号公報
【特許文献１０】特開２００５−２４０８４２号公報
【特許文献１１】特開２００５−２４０８４３号公報
【発明の開示】
【発明が解決しようとする課題】
【０００８】
しかしながら、従来のリール装置の構成では、リールドラムのアーム等の重量が大きく、リールドラムを回転させるトルクを大きくしなければならないため、リールドラム制御時におけるトルク変動は大きくなる。トルク変動が大きい用途ほど、シザーズギヤの付勢手段の付勢力を大きく設定する必要があるが、この場合、次のような問題が起こる。
【０００９】
一般に、シザーズギヤには、メインギヤとサブギヤとを互いに回転方向に付勢するように付勢手段を設けた構成により、サブギヤが回転軸方向に対して傾けようとする傾動トルクが発生し、サブギヤが回転軸方向に傾むいてしまう。これにより、メインギヤとサブギヤとのフリクションの増加、サブギヤとその軸受部分との間のフリクションの増加及びメインギヤに対するサブギヤの追従性悪化などによるバックラッシュ低減効果の減少、及びフレッティングによる摩耗現象などが生じる問題がある（特許文献９、特許文献１０及び特許文献１１）。上述の問題はシザーズギヤの付勢手段の付勢力が大きいほど顕著となるので、付勢手段の付勢力が大きいシザーズギヤを、リール装置に適用することは困難なものとなっている。
【００１０】
本発明の目的は、シザーズギヤの付勢手段の付勢力を小さくすることができ、十分なバックラッシュ低減効果を得ることができるリール装置を提供することである。
【課題を解決するための手段及び効果】
【００１１】
本発明のリール装置は、複数の図柄が形成されたリール帯と、前記リール帯が外周面に設けられたリールドラムと、前記リールドラムの内周面に噛合され、前記リールドラムを所定位置で回転可能に保持する複数のギヤと、前記複数のギヤのうち少なくとも一つのギヤを回転駆動する駆動機構と、前記リールドラムを任意の回転角度で停止可能に回転させるように前記駆動機構を制御する駆動制御装置とを有しており、前記ギヤのうち少なくとも一つのギヤは、前記駆動機構により回転駆動されるメインギヤと、該メインギヤと同形状の歯を有し、メインギヤに対して相対的に回転自在に隣接されたサブギヤと、前記メインギヤと前記サブギヤとを、回転方向で相反する方向に付勢する付勢手段とを有しているシザーズギヤであることを特徴とする。
【００１２】
上記の構成によれば、リールドラムは、複数のギヤと噛合することにより所定の場所に保持されているため、従来の回転軸と外周部をつなぐ、アームを有するリールドラムに比べて軽量化することができる。これにより、リールドラムを回転させるために必要なトルクを小さくすることができるため、リールドラムを回転・停止させるときのシザーズギヤのトルク変動を小さくすることができる。このため、シザーズギヤにおける付勢手段の付勢力を従来よりも小さくすることができるため、サブギヤを軸方向に対して傾けようとする傾動トルクを小さくすることができ、バックラッシュ低減効果を維持することができる。また、サブギヤとメインギヤとの摩擦に基づく摩耗を抑制することができる。以上により、長期間の間、リールドラムの外周面に設けられたリール帯に形成された図柄を精度良く停止させることができる。さらに、歯打音による騒音を抑制することができる。
【００１３】
また、本発明のリール装置において、前記シザーズギヤが複数であってよい。上記の構成によれば、複数のシザーズギヤがリールドラムに噛合しているため、シザーズギヤ各々における付勢手段の付勢力を小さくすることができる。これにより、サブギヤを軸方向に対して傾けようとする傾動トルクを小さくすることができ、バックラッシュ低減効果を維持することができる。また、メインギヤとサブギヤとの摩擦に基づく摩耗を抑制することができる。以上により、長期間の間、リールドラムの外周面に設けられたリール帯に形成された図柄を精度良く停止させることができる。さらに、歯打音による騒音を抑制することができる。
【００１４】
また、本発明のリール装置においては、前記ギヤを前記リールドラムに押圧する押圧機構を更に有していてよい。上記の構成によれば、バックラッシュの低減することができると共に、製造時における部品のバラツキを吸収することができるため、リールドラムの外周面に設けられたリール帯に形成された図柄を精度良く停止させることができる。さらに、歯打音による騒音を抑制することができる。
【００１５】
また、本発明のリール装置において、前記シザーズギヤにおける前記サブギヤの軸方向への傾動を防止する傾動防止機構が更に設けられていてよい。上記の構成によれば、サブギヤが軸方向に対しての傾動を抑制することができるため、シザーズギヤのバックラッシュ低減効果を維持することができると共に、メインギヤとサブギヤとの摩擦に基づく摩耗を抑制することができる。これにより、長期間の間、リールドラムの外周面に設けられたリール帯に形成された図柄を精度良く停止させることができる。
【００１６】
また、本発明のリール装置において、前記シザーズギヤの付勢手段が一つのバネ部材からなっていてよい。上記の構成によれば、メインギヤとサブギヤとを、回転方向で相反する方向に付勢する付勢手段が一つのバネ部材からなるため、コストを削減できると共に、組立作業の工程を少なくすることができる。
【発明を実施するための最良の形態】
【００１７】
本発明の遊技機に係る実施の形態について、図面を参照しながら説明する。以下においては、本発明の好適な実施形態として、本発明をパチスロ遊技装置に適用した場合について説明することとする。
【００１８】
図１は、パチスロ遊技装置が備えるリール装置についての説明図である。
図２は、本発明に係るパチスロ遊技装置の一例を模式的に示す斜視図である。
【００１９】
パチスロ遊技装置１は、リール装置２や回路基板等を収容するキャビネット５０と、キャビネット５０に対して開閉可能に取り付けられるフロントドア５１とを備える。キャビネット５０の内部には、３つのリール装置２（２Ｌ、２Ｃ、２Ｒ）が横並びに設けられている。フロントドア５１の中央には、液晶表示装置５２が設けられている。液晶表示装置５２は、図柄表示領域５３（５３Ｌ。５３Ｃ、５３Ｒ）を含む表示画面を備え、正面から見てリール装置２に重畳する手前側に位置するように設けられている。図柄表示領域５３は、３つのリール装置２のそれぞれに対応して設けられており、その背後に設けられたリール装置２を形成する後述のリールドラム３（３Ｌ、３Ｃ、３Ｒ）を透過することが可能な構成を備えている。
【００２０】
つまり、図柄表示領域５３は、表示窓としての機能を果たすものであり、その背後に設けられたリールドラム３の回転及びその停止の動作が遊技者側から視認可能となる。また、本実施の形態では、図柄表示領域５３を含めた表示画面の全体を使って、映像の表示が行われ、演出が実行される。
【００２１】
図柄表示領域５３（以下、表示窓５３）は、その背後に設けられたリールドラム３の回転が停止されたとき、リールドラム３の外周面に形成された複数種類の図柄１０のうち、その枠内における上段領域５３０Ｕ、中段領域５３０Ｍ及び下段領域５３０Ｂの各領域５３０にそれぞれ１個の図柄１０（合計で３個）を表示する。また、各表示窓５３が有する上段領域５３０Ｕ、中段領域５３０Ｍ及び下段領域５３０Ｂからなる３つの領域のうち予め定められた何れかをそれぞれ組合せてなる擬似的なラインを、入賞か否かの判定を行う対象となるライン５４（入賞判定ライン）として定義する。
【００２２】
本実施の形態では、各表示窓５３の上段領域５３０Ｕを組合せてなるトップライン５４ａ、各表示窓５３の中段領域５３０Ｍを組合せてなるセンターライン５４ｂ、各表示窓５３の下段領域５３０Ｂを組合せてなるボトムライン５４ｃ、左表示窓５３Ｌの上段領域５３０Ｕ、中表示窓５３Ｃの中段領域５３０Ｍ及び右表示窓５３Ｒの下段領域５３０Ｂを組合せてなるクロスダウンライン５４ｄ、左表示窓５３Ｌの下段領域５３０Ｂ、中表示窓５３Ｃの中段領域５３０Ｍ及び右表示窓５３Ｒの上段領域５３０Ｕを組合せてなるクロスアップライン５４ｅの５つを入賞判定ライン５４として設けている。
【００２３】
（操作装置）
フロントドア５１には、遊技者による操作の対象となる各種装置が設けられている。メダル投入口５５は、遊技者によって外部から投下されるメダルを受け入れるために設けられる。メダル投入口５５に受け入れられたメダルは、所定枚数（例えば３枚）を上限として１回の遊技に投入されることとなり、所定枚数を超えた分はパチスロ内部に預けることが可能となる（いわゆるクレジット機能）。
【００２４】
ベットボタン５６は、パチスロ遊技装置内部に預けられているメダルから１回の遊技に投入する枚数を決定するために設けられる。貯留メダル精算ボタン５７は、遊技者が遊技で獲得したメダルのクレジット／払い出しを押し操作により切り替えるために設けられている。
【００２５】
この貯留メダル精算ボタン５７の切り替えにより「払い出し」が選択された場合には、正面下部のメダル払出口６３からメダルが払い出され、払い出されたメダルはメダル受皿６４に溜められる。一方、「クレジット」が選択された場合には、パチスロ遊技装置１が備えるメモリ（例えば、後述するメインＲＡＭ８５等）にメダル数がクレジットとして記憶される。
【００２６】
スタートレバー５８は、全てのリールドラム３の回転を開始するために設けられる。ストップボタン５９（５９Ｌ、５９Ｃ、５９Ｒ）は、３つのリール装置２のそれぞれに対応づけられ、対応するリール装置２のリールドラム３の回転を停止するために設けられる。
【００２７】
（その他装置）
７セグ表示器６０は、７セグメントＬＥＤからなり、今回の遊技に投入されたメダルの枚数（以下、投入枚数）、特典として遊技者に対して払い出すメダルの枚数（以下、払出枚数）、パチスロ遊技装置内部に預けられているメダルの枚数（以下、クレジット枚数）等の情報を遊技者に対してデジタル表示する。
【００２８】
ランプ（ＬＥＤ等）６１は、演出内容に応じた点消灯のパターンにて光を出力する。スピーカー６２は、演出内容に応じた効果音や楽曲等の音を出力する。メダル払出口６３は、後述のメダル払出装置（以下、ホッパー９３）の駆動により排出されるメダルを外部に導く。メダル払出口６３から排出されたメダルは、メダル受皿６４に貯められる。
【００２９】
図１に示すように、パチスロ遊技装置１に組み込まれているリール装置２は、リールドラム３を有している。リールドラム３の外周面には、複数の図柄１０（例えば２１個）が形成された帯状のリール帯９が設けられている。リールドラム３は、リールドラム３の内周面の両端部に形成されたギヤ部１１（１１ａ、１１ｂ）と噛合する複数のギヤ４（以下、保持ギヤ群４）により、所定位置で回転可能に保持されている。保持ギヤ群４の少なくとも一つのギヤは、ステッピングモータ７（駆動機構）により回転駆動されるシザーズギヤ５である。保持ギヤ群４のうち、ステッピングモータ７により回転駆動されないギヤは、リールドラム３を所定位置で回転可能に保持するために設けられたギヤ６である。ステッピングモータ７は、駆動制御装置８により、回転・停止が制御されている。
【００３０】
なお、リール帯９を透明にし、リールドラム３の内側の中空部を遊技者が視認することができるようにしてもよい。かかる構成によれば、リールドラム３内に液晶表示装置９９（図示せず）を設置した場合、中空部を利用した意外性があってボリュームの大きい演出を行うことができる。リールドラム３は、遊技が行われている時に最も遊技者の注目が集まる箇所の一つであるから、リールドラム内の中空部における演出は、極めて効果的である。なお、リールドラム３の中空部を利用した演出は、液晶表示装置９９に限定されず、例えば可動部を有するフィギュアや、ＬＥＤ等の照明手段等の演出用部材を用いたものであってもよい。
【００３１】
図３は、従来のリール装置と本発明に係るリール装置を模式的に示す図である。
【００３２】
従来のリール装置１０２において、リールドラム１６は、該リールドラム１６の中心から放射状に延びた複数のアーム１７と、各アーム１７が支持する環状外周部１８とから構成されている。また、リール装置２は、ステッピングモータ７の駆動軸に軸着した駆動ギヤ１９に、動力伝達機構としての従動ギヤ２０を噛合し、リールドラム１６の回転軸と、従動ギヤ２０の駆動軸とが、同一の軸心となるように構成されている。そして、この駆動ギヤ１９と従動ギヤ２０のどちらか一方にシザーズギヤが用いられている。なお、従動ギヤ２０の駆動軸と環状外周部１８までの距離が長く、リールドラム１６を回転させるためのトルクは大きいものとなっている。
【００３３】
一方、本発明におけるリール装置２は、リールドラム３の内周面の両端部に形成されたギヤ部１１（１１ａ、１１ｂ）と噛合する保持ギヤ群４により、リールドラム３は所定位置で回転可能に保持される。保持ギヤ群４のうち少なくとも一つのギヤは、ステッピングモータ７により回転駆動されるシザーズギヤ５である。かかる構成により、リールドラム３は、アームを有さないため軽量化することができ、リールドラム３を回転させるためのトルクは、従来のリール装置１０２に比べて小さくすることができる。また、後述する出力軸２１とリールドラム３の周面部までの距離は、従来のリール装置１０２に比べて短くなっているため、リールドラム３を回転させるためのトルクは小さくすることができる。
【００３４】
（シザーズギヤ）
図４は、本発明のリール装置に設けられたシザーズギヤの説明図であり、（ａ）は正面図、（ｂ）は部分的な側面図、（ｃ）はＡ−Ａ`断面図、（ｄ）はＢ−Ｂ`断面図である。
【００３５】
シザーズギヤ５は、ステッピングモータ７の出力軸２１に固定されたメインギヤ１２と、該メインギヤ１２と同形状の歯を有し、メインギヤ１２に対して相対的に回転自在に隣接されたサブギヤ１３と、メインギヤ１２とサブギヤ１３とを、回転方向で相反する方向に付勢する付勢手段としてのコイルばね１４とを有している。
【００３６】
かかる構成によると、図４（ｂ）に示すように、コイルばね１４によりメインギヤの歯１２ａとサブギヤの歯１３ａとの歯位相がずれるため、リールドラム３の内周面の両端部に設けられたギヤ部１１の歯を、メインギヤの歯１２ａとサブギヤの歯１３ｂとで挟み込むようになる。このため、バックラッシュを低減することができる。
【００３７】
なお、サブギヤ１３は主にバックラッシュを低減する目的で用いられ、駆動力の伝達に積極的に用いられるものではないので、その歯厚はメインギヤ１２より薄くされる。また、メインギヤ１２及びサブギヤ１３としては例えばヘリカルギヤまたはスパーギヤなどが用いられる
【００３８】
図４（ｃ）に示すように、メインギヤ１２及びサブギヤ１３には、それぞれ、てこ挿入部２６、２７が形成されている。てこ挿入部２６、２７は、ドライバー等の棒状の工具を挿通する貫通孔２６ａ、２７ａと、メインギヤ１２又はサブギヤ１３の外側面に貫けた貫通孔２６ａ、２７ａの周縁部のコイルばね１４の付勢方向とは逆の部位に設けられた突出部２６ｂ、２７ｂとを有している。この突出部２６ｂ、２７ｂは、鉤状の形態をしており、その鉤先は、コイルばね１４の付勢方向に向いている。これにより、ドライバー等の棒状の工具を貫通孔２６ａ、２７ａに挿入し、工具を回動する場合、工具と突出部２６ｂ、２７ｂの鉤先との当接部を支点又は作用点とすることができ、容易にメインギヤの歯１２ａとサブギヤの歯１３ｂとの歯位相を同位相にすることができる。
【００３９】
さらに、図４（ｄ）に示すように、シザーズギヤ５には、サブギヤ１３が回転軸方向に傾くことを防止する傾動防止機構１５が設けられている。メインギヤ１２には、鉤状部１５１が形成され、該鉤状部１５１の鉤先は、コイルばね１４の付勢方向に向いている。サブギヤ１３には、側面を貫通して開口部１５２が形成されており、メインギヤ１２に形成された鉤状部１５１が挿通することが可能にされている。また、サブギヤの開口部１５２の一部を塞ぐ形で舌片部１５３が形成されており、対になるメインギヤ１２の鉤状部１５１と係合することができるようにされている。これにより、サブギヤ１３が回転軸方向に傾くことを防止し、バックラッシュ低減効果を維持することができ、長期間の間、図柄を精度良く停止させることができる。さらに、傾動防止機構１５は、メインギヤ１２とサブギヤ１３との歯位相が所定の範囲以上にずれることを防止することができる。なお、複数の傾動防止機構１５が一つのシザーズギヤ５に設けられていてもよい。
【００４０】
また、本実施の形態では、シザーズギヤ５の付勢手段として、コイルばね１４を用いたが、これに限られるものではない。例えば、ｃ字状のバネでもよい。
【００４１】
また、シザーズギヤ５に複数の付勢手段１４を設けていてもよい。例えば、シザーズギヤ５の軸心を中心として１８０度向きの異なる対象位置に一対のコイルばね１４を設けた場合、バランスが良くなり、またコイルばね１４の付勢力に起因する傾動トルクのモーメントを小さくすることができる。また、シザーズギヤ５に複数の付勢手段１４を設ける場合、付勢手段１４の種類は同一でなくてもよく、例えば、ｃ字状のバネとコイルばねを同一のシザーズギヤ５に用いてもよい。
【００４２】
図５は、本発明に係るリール装置の断面図である。
【００４３】
リールドラム３の内側には、ステッピングモータ７の出力軸２１が挿通されており、出力軸２１の他端は、キャビネット５０（図示せず）の所定個所に回転可能に固定されている。また、リールドラム３を所定の場所に回転可能に保持するための保持軸２２が、リールドラムの内側に挿通されており、一端がキャビネット５０（図示せず）の所定個所に回転可能に固定されている。出力軸２１には二つのシザーズギヤ５（５ａ、５ｂ）、保持軸２２には二つのギヤ６（６ａ、６ｂ）がそれぞれ設けられており、リールドラム３の内周面の両端部に形成されたギヤ部１１（１１ａ、１１ｂ）と噛合されている。出力軸２１に設けられた二つのシザーズギヤ５（５ａ、５ｂ）及び保持軸２２に設けられた二つのギヤ６（６ａ、６ｂ）の合計４つのギヤで構成される保持ギヤ群４により、リールドラム３は、所定位置で回転可能に保持されている。
【００４４】
本実施の形態では、リールドラム３の内周面の両端部にギヤ部１１（１１ａ、１１ｂ）を形成しているが、本発明は、これに限定されるものではない。例えばリールドラム３の内周面の両端部のどちらか一方にだけギヤ部１１を形成してもよい。また、リールドラム３の外周面にギヤ部１１を形成していてもよく、この場合、出力軸２１及び/又は保持軸２２は、出力軸２１及び/又は保持軸２２に設けられた保持ギヤ群４が、リールドラム３の外周面に形成されたギヤ部１１と噛合されるように配置される。
【００４５】
また、本発明は、図６に示すように、リールドラム３の内周面に渡ってギヤ部１１を形成してもよい。かかる構成では、出力軸２１及び保持軸２２に設けられたギヤ部１１と噛合される保持ギヤ群４は、同一の出力軸２１及び/又は保持軸２２の軸中に複数あってもよく、出力軸２１に多くのシザーズギヤ５を設けた場合、一つ一つのシザーズギヤ５のコイルばね１４の付勢力を小さくすることができる。また、リールドラム３内に液晶表示装置９９（図示せず）を設置し、リールドラム３のリール帯９とギヤ部１１を透明にすることで、リールドラム内の中空部において演出ができるようにしてもよい。
【００４６】
また、本実施の形態では、出力軸２１及び保持軸２２それぞれに設けられた二つのギヤにより構成される保持ギヤ群４で、リールドラム３の内周面の両断部に形成されたギヤ部１１と噛合させているが、出力軸２１及び/又は保持軸２２に一つのギヤのみを設け、リールドラム３の内周面の両端部のどちらか一方のギヤ部１１と噛合させてもよい。
【００４７】
また、出力軸２１に設けれれたギヤは、シザーズギヤ５ではないギヤがあってもよく、出力軸２１に設けられたギヤのうち少なくとも一つがシザーズギヤ５であればよい。一つの出力軸２１に対して二つのシザーズギヤ５を設けた場合、出力軸２１に一つのシザーズギヤ５を設けた場合に比べて、一つ一つのシザーズギヤ５のコイルばね１４の付勢力を小さくすることができる。これにより、サブギヤ１３が回転軸方向に傾くことを防止することができるため、バックラッシュ低減効果を維持することができる。
【００４８】
また、図７に示すように、保持ギヤ群４のギヤを、リールドラム３に押圧する押圧機構２３を有していてよい。押圧機構２３は、キャビネット５０の所定位置に固定されている固定部材２３１と、保持ギヤ群４のギヤを設けている出力軸２１及び/又は保持軸２２を回転可能に保持し、固定部材２３１に対して相対移動可能に設けられている軸保持板２３２と、固定部材２３１と軸保持板２３２との間に設けられ、軸保持板２３２をリールドラム３の外周方向に押圧するように配置された押圧部材２３３とで構成されている。かかる構成によれば、押圧部材２３３により軸保持板２３２がリールドラム３の外周方向に押圧されることで、出力軸２１及び/又は保持軸２２に設けられた保持ギヤ群４のギヤは、リールドラム３のギヤ部１１に押圧される。これにより、リールドラム３のギヤ部１１と出力軸２１及び/又は保持軸２２に設けられた保持ギヤ群４のギヤとのバックラッシュを低減することができるとともに、製造時における保持ギヤ群４のギヤやリールドラム３のギヤ部１１などの部品のバラつきを吸収することができる。なお、押圧部材は、軸保持板２３２をリールドラム３の外周方向に押圧するものであればよく、例えばバネ部材やゴム部材で構成されていてよい。また、リール装置２は、複数の押圧機構２３を有していてよい。
【００４９】
また、図８に示すように、複数の保持軸２２を設け、保持軸２２に設けられた保持ギヤ群４でリールドラム３を所定位置で回転可能に保持させてもよい。この場合、リールドラム３を所定位置で安定して回転させることができる。
【００５０】
さらにリールドラム３を所定位置で回転可能に保持する保持部材が保持ギヤ群４以外に設けられていてもよい。例えば、リールドラム３の外周面の両端部に外周面に沿って、断面視三角形状に突出したガイドレールを形成し、該ガードレールと遊嵌し、回転軸によってキャビネットに回転可能に支持されたＶ字プーリのガイドロールによってリールドラムを所定位置で回転可能に保持させてもよい。つまり、リールドラム３はガイドロールによって回転可能に保持されている。これらのリールドラム３を所定位置で回転可能に保持する部材は、保持ギヤ群４だけではリールドラム３を所定位置で回転可能に保持することが困難な際に用いることが有効である。例えば、保持ギヤ群４が一つギヤで構成されている場合でも、保持部材を設けることにより、リールドラム３を所定位置で回転可能に保持することができる。
【００５１】
また、本実施の形態では、リールドラム３の軽量化等により、シザーズギヤ５にかかるトルク変動を小さくすることができるため、付勢手段１４をバネ一つで構成することができる。この場合、組立時における工程数が減少するとともにコストを削減することができる。
【００５２】
また、保持軸２２に設けられたギヤ６をシザーズギヤにしてもよい。この場合、保持軸２２に設けられたギヤ６と、リールドラム３の内周面の両端部に形成されたギヤ部１１とのバックラッシュを低減することができるため、騒音を抑制することができる。
【００５３】
（パチスロ遊技装置のリール組み付け作業）
上記の構成において、パチスロ遊技装置におけるリールの組み付け作業を説明する。
【００５４】
先ず、複数の図柄１０が形成されたリール帯９がリールドラム３に貼設される。また、シザーズギヤ５を少なくとも一つ設けてある出力軸２１の一端と、リールドラム３を保持するギヤ６を設けてある保持軸２２の一端を、キャビネット５０の所定位置に回転可能に取り付ける。次に、保持軸２２に設けられたシザーズギヤ５に形成されているてこ挿入部２６、２７に工具を挿入し、工具を回動することで、メインギヤの歯１２ａとサブギヤの歯１３ａとの歯位相が同位相になるようにする。次に、リールドラム３のギヤ部１１が、該シザーズギヤ５と該ギヤ６と噛合されるように、リールドラム３をキャビネット５０に取り付ける。次に、シザーズギヤ５に形成されている、てこ挿入部２６、２７に挿入していた工具を取り外す。すると、コイルばね１４の付勢力によりサブギヤ１３がメインギヤ１２に対して相対回転し、メインギヤ１２とリールドラム３のギヤ部１１との間のバックラッシュを低減する。つまり、リールドラム３のギヤ部の歯に対して、メインギヤの歯１２ａとサブギヤの歯１３ａが周方向両側から接触、係合することになる。
【００５５】
上記のようにしてシザーズギヤ５が組み付けられたリール装置２が完成すると、バックラッシュに起因する歯打音による騒音を防止することができると共に、表示窓５３に図柄１０を精度よく停止させることができるリール装置となる。
【００５６】
次に、図９を参照して、本実施の形態におけるパチスロ遊技装置が備える回路の構成について説明する。本実施の形態におけるパチスロ遊技装置は、主制御回路、副制御回路及びこれらと電気的に接続する周辺装置（アクチュエータ）を備える。
【００５７】
（主制御回路）
図９は、本実施の形態におけるパチスロ装置の主制御回路の構成を示す図である。
【００５８】
（マイクロコンピュータ）
主制御回路８１は、回路基板上に設置されたマイクロコンピュータ８２を主たる構成要素としている。マイクロコンピュータ８２は、ＣＰＵ（以下、メインＣＰＵ８３）、ＲＯＭ（以下、メインＲＯＭ８４）及びＲＡＭ（以下、メインＲＡＭ８５）により構成される。
【００５９】
メインＲＯＭ８４には、メインＣＰＵ８３により実行される制御プログラム、副制御回路８６に対して各種制御指令（コマンド）を送信するためのデータ等が記憶されている。副制御回路８６へ送信するためのコマンドとしては、例えば、液晶表示装置５２に対する表示制御に関するコマンドや、スピーカー６２に対する音声制御に関するコマンド等が挙げることができる。メインＲＡＭ８５には、制御プログラムの実行により決定された内部当籤役等の各種データを格納する格納領域が設けられる。
【００６０】
（乱数発生器等）
メインＣＰＵ８３には、クロックパルス発生回路８７、分周器８８、乱数発生器８９及びサンプリング回路９０が接続されている。クロックパルス発生回路８７及び分周器８８は、クロックパルスを発生する。メインＣＰＵ８３は、発生されたクロックパルスに基づいて、制御プログラムを実行する。乱数発生器８９は、予め定められた範囲の乱数（例えば、０〜６５５３５）を発生する。サンプリング回路９０は、発生された乱数の中から１つの値を抽出する。
【００６１】
（スイッチ等）
マイクロコンピュータ８２の入力ポート９１には、スイッチ等が接続されている。メインＣＰＵ８３は、スイッチ等の入力を受けて、ステッピングモータ７等の周辺装置の動作を制御する。ストップスイッチ５９Ｓは、３つのストップボタン５９（５９Ｌ、５９Ｃ、５９Ｒ）のそれぞれが遊技者により押されたこと（停止操作）を検出する。また、スタートスイッチ５８Ｓは、スタートレバー５８が遊技者により操作されたこと（開始操作）を検出する。
【００６２】
メダルセンサ５５Ｓは、メダル投入口５５に投入されたメダルを検出する。また、ベットスイッチ５６Ｓは、ベットボタン５６が遊技者により押されたことを検出する。また、貯留メダル精算スイッチ５７Ｓは、貯留メダル精算ボタン５７が遊技者により押されたことを検出する。
【００６３】
（周辺装置及び回路）
マイクロコンピュータ８２により動作が制御される周辺装置としては、リール装置２におけるリールドラム３を回転駆動するステッピングモータ７、７セグ表示器６０及びメダルを収納し、ホッパー駆動回路９２の命令により所定枚数のメダルの払い出しを行うホッパー９３（払い出しのための駆動部を含む）がある。また、マイクロコンピュータ８２の出力ポート９４には、各周辺装置の動作を制御するための回路が接続されている。
【００６４】
モータ駆動回路９５は、各リールドラム３に対応して設けられたステッピングモータ７の駆動を制御する。リール位置検出回路９６は、発光部と受光部とを有する光センサにより、リールが一回転したことを示すリールインデックスを各リールドラム３に応じて検出する。
【００６５】
ステッピングモータ７は、運動量がパルスの出力数に比例し、回転軸を指定された角度で停止させることが可能な構成を備えている。ステッピングモータ７の駆動力は、シザーズギヤ５を介してリールドラム３に伝達される。ステッピングモータ７に対して１回のパルスが出力されるごとに、リールドラム３は一定の角度で回転する。
【００６６】
メインＣＰＵ８３は、リールインデックスを検出してからステッピングモータ７に対してパルスを出力した回数をカウントすることによって、リールドラム３の回転角度（主に、リールが図柄何個分だけ回転したか）を管理し、リールドラム３の外周面に設けられたリール帯９に形成された各図柄１０の位置を管理するようにしている。
【００６７】
表示部駆動回路９７は、７セグ表示器６０の動作を制御する。また、ホッパー駆動回路９２は、ホッパー９３の動作を制御する。また、払出完了信号回路９８は、ホッパー９３に設けられたメダル検出部９３Ｓが行うメダルの検出を管理し、ホッパー９３から外部に排出されたメダルが払出枚数に達したか否かをチェックする。
【００６８】
副制御回路８６は、主制御回路８１と電気的に接続されており、主制御回路８１から送信されるコマンドに基づいて演出内容の決定や実行等の処理を行う。
【００６９】
また、副制御回路８６には、その動作が制御される周辺装置として、液晶表示装置５２、スピーカー６２及びランプ６１が接続されている。
【００７０】
次に、図１０乃至図１１を参照して、メインＲＯＭに記憶されている図柄配置テーブル及び図柄組合せテーブルの構成について述べる。
【００７１】
（図柄配置テーブル）
図１０を参照して、図柄配置テーブルについて説明する。図柄配置テーブルは、各リールドラム３の回転方向における各図柄１０の位置と、各位置に形成された図柄１０の種類を特定するデータ（以下、図柄コード）とを規定している。
【００７２】
図柄配置テーブルは、リールインデックスが検出されるときに表示窓５３内の中段領域５３０Ｍに存在する図柄１０の位置を「０」として、リールドラム３の回転方向に進む順に、各図柄１０の位置に対して「０」〜「２０」をそれぞれ割り当てている。したがって、リールインデックスが検出されてから図柄何個分の回転が行われたかを管理しつつ、図柄配置テーブルを参照することによって、主として表示窓５３の中段領域５３０Ｍに存在する図柄１０の位置及びその図柄１０の種類を常に管理することが可能となっている。
【００７３】
（図柄組合せテーブル）
図１１を参照して、図柄組合せテーブルについて説明する。本実施の形態では、入賞判定ライン５４に沿って各リールドラム３により表示される図柄１０の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００７４】
図柄組合せテーブルは、特典の種類に応じて予め定められた図柄の組合せと、表示役と、払出枚数とを規定している。表示役は、入賞判定ライン５４に沿って表示された図柄の組合せを識別するデータである。
【００７５】
表示役は、各ビットに対して固有の図柄の組合せが割り当てられた１バイトのデータとして表される。例えば、各リールドラム３の図柄「ベル」が入賞判定ライン５４に沿って表示されたとき、表示役として「ベル（００００００１０）」が決定される。
【００７６】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００７７】
また、表示役としてリプレイが決定されたとき、再遊技の作動が行われる。表示役としてＢＢが決定されたとき、ボーナスの作動が行われる。尚、入賞判定ライン５４に沿って表示された図柄１０の組合せが、図柄組合せテーブルにより規定されている図柄の組合せの何れとも一致しない場合には、いわゆる「ハズレ」となる。
【００７８】
次に、図１２乃至図１４を参照して、パチスロ遊技装置の動作を説明しながら、シザーズギアの動作を説明する。
【００７９】
（主制御回路のメインＣＰＵの制御によるメインフローチャート）
まず、図１２を参照して、メインＣＰＵ８３の制御によるメインフローチャートについて説明する。パチスロ遊技装置１に電源が投入されると、はじめに、メインＣＰＵ８３は、初期化処理を行う（Ｓ１）。次に、メインＣＰＵ８３は、メインＲＡＭ８５における指定格納領域のクリアを行う（Ｓ２）。例えば、内部当籤役格納領域や表示役格納領域等、１回の遊技ごとに消去が必要となる格納領域に格納されたデータがクリアされる。
【００８０】
次に、メインＣＰＵ８３は、メダル受付・スタートチェック処理を行う（Ｓ３）。この処理では、メダルセンサ５５Ｓやスタートスイッチ５８Ｓの入力のチェック等が行われる。
【００８１】
次に、メインＣＰＵ８３は、乱数値を抽出し、メインＲＡＭ８５に設けられた乱数値格納領域に格納する（Ｓ４）。次に、メインＣＰＵ８３は、乱数値に基づいた抽籤により内部当籤役の決定が行われる。次に、メインＣＰＵ８３は、スタートコマンドを副制御回路８６に対して送信する（Ｓ６）。スタートコマンドは、内部当籤役等を特定するパラメータを含んで構成される。
【００８２】
次に、メインＣＰＵ８３は、全リール装置２のリールドラム３の回転開始を要求する（Ｓ７）。尚、リールドラム３の回転開始が要求されると、一定の周期（１．１１７３ｍｓｅｃ）で実行される割込処理（後述の図１４）によってステッピングモータ７の駆動が制御される。ここで、ステッピングモータ７の出力軸２１には、シザーズギヤ５が設けられており、ステッピングモータ７の回転駆動力は、該シザーズギヤ５を介して各リールドラム３に伝達される。リールドラム３は、アームを有さないため軽量化できると共に、出力軸２１とリールドラム３の周面部との距離が短いため、リールドラム３を回転させるために必要なトルクは、従来のリール装置１０２に比べて小さくすることができる。
【００８３】
次に、メインＣＰＵ８３は、後で図１３を参照して説明するリール停止制御処理を行う（Ｓ８）。この処理では、ストップスイッチ５９Ｓの入力のチェックが行われ、ストップボタン５９が押されたタイミングと内部当籤役とに基づいて該当リールドラム３の回転が停止される。
【００８４】
次に、メインＣＰＵ８３は、入賞判定ライン５４に沿って表示された図柄１０の組合せを検索し、その結果に基づいて払出枚数等を決定する（Ｓ９）。検索の結果、入賞判定ライン５４に沿って表示された図柄１０の組合せが図柄組合せテーブルにより規定されている図柄の組合せと一致する場合、対応する表示役及び払出枚数が決定される。次に、メインＣＰＵ８３は、表示コマンドを副制御回路８６に対して送信する（Ｓ１０）。表示コマンドは、表示役や払出枚数等を特定するパラメータを含んで構成される。
【００８５】
次に、メインＣＰＵ８３は、メダル払出処理を行う（Ｓ１１）。メダル払出処理では、内部当籤した役の入賞成立を示す停止態様となった場合、貯留メダル精算ボタン５７の切り替えにより「払い出し」が選択されているときには、メインＣＰＵ８３は、払い出し指令信号をホッパー駆動回路９２に供給してホッパー９３から所定個数のメダルの払い出しを行う。その際、メダル検出部９３Ｓは、ホッパー９３から払い出されるメダルの枚数を計数し、その計数値が指定された数に達したときに、メダル払い出し完了信号がメインＣＰＵ８３に入力される。これにより、メインＣＰＵ８３は、ホッパー駆動回路９２を介してホッパー９３の駆動を停止し、メダル払出処理を終了し、Ｓ２に移る。
【００８６】
なお、貯留メダル精算ボタン５７の切り替えにより「クレジット」が選択されているときには、払い出されるべきメダルの数がクレジットとしてメインＲＡＭ８５に記憶されることになる。
【００８７】
（リール停止制御処理）  
次に、図１３を参照して、リール停止制御処理について説明する。はじめに、メインＣＰＵ８３は、有効なストップボタン５９が押されたか否かを判別する（Ｓ１０１）。メインＣＰＵ８３は、有効なストップボタン５９が押されていないと判別したときには、これが押されるまで待機する。
【００８８】
メインＣＰＵ８３は、有効なストップボタン５９が押されたと判別したときには、該当ストップボタン５９の操作を無効化する（Ｓ１０２）。各ストップボタン５９の有効及び無効の状態は、メインＲＡＭ８５に設けられた所定の格納領域において管理される。
【００８９】
次に、メインＣＰＵ８３は、チェック回数として５をセットする（Ｓ１０３）。本実施の形態では、滑り駒数の最大数を「４」と設定していることから、ストップボタン５９が押されたときに該当表示窓５３の中段領域５３０Ｍにある図柄１０の位置を含め、そこから４個先の図柄１０の位置までがチェックの対象となる。つまり、「０」、「１」、「２」、「３」及び「４」の５つの数値の何れかが滑り駒数として決定される。
【００９０】
次に、メインＣＰＵ８３は、内部当籤役に基づいて、ストップボタン５９が押されたときに該当表示窓８３の中段領域５３０Ｍにある図柄１０の位置（以下、停止開始位置）を含めたチェック回数の範囲内にある各図柄１０の位置の中で、最も優先順位の高い図柄１０の位置を検索する（Ｓ１０４）。この処理では、内部当籤役によって表示が許可されている図柄１０の組合せを、入賞判定ライン５４沿って表示することが可能となる図柄１０の位置が、最も優先順位の高い図柄１０の位置として決定される。
【００９１】
次に、メインＣＰＵ８３は、検索の結果に基づいて滑り駒数を決定する（Ｓ１０５）。停止開始位置から上記最も優先順位の高い図柄１０の位置までの図柄の個数が滑り駒数として決定される。次に、メインＣＰＵは、停止予定位置待ちへ移行する（Ｓ１０６）。停止予定位置待ちへ移行すると、後述の割込処理によってステッピングモータ７の駆動が制御され、最も優先順位の高い図柄１０の位置が該当表示窓５３の中段領域５３０Ｍに到達するのを待って、該当リールドラム３の回転が停止される。ここで、上述したように、本発明のリール装置２は、従来のリール装置１０２に比べて、小さいトルクでリールドラム３は回転されるため、リールドラム３を回転・停止させる時のシザーズギヤ５にかかるトルク変動は小さくすることができる。これにより、シザーズギヤ５のコイルばね１４の付勢力を小さくすることができるため、サブギヤ１３を軸方向に対して傾けようとする傾動トルクを小さくすることができ、長期間、バックラッシュ低減効果を維持することができる。また、サブギヤ１３とメインギヤ１２との摩擦に基づく摩耗を抑制することができる。以上により、メインＣＰＵ８３に決定された図柄と同一の、リールドラム３の外周面に形成された図柄１０を、表示窓５３に精度よく停止させることができる。
【００９２】
次に、メインＣＰＵ８３は、リール停止コマンドを副制御回路８６に対して送信する（Ｓ１０７）。リール停止コマンドは、停止したリールドラム３の種別等を特定するパラメータを含んで構成されている。
【００９３】
次に、メインＣＰＵ８３は、操作が有効なストップボタン５９があるか否かを判別する（Ｓ１０８）。つまり、まだ回転中のリールドラム３があるか否かが判別される。メインＣＰＵ８３は、操作が有効なストップボタン５９があると判別したときには、Ｓ１０１に移る一方で、操作が有効なストップボタン５９がないと判別したときには、リール停止制御処理を終了する。
【００９４】
（メインＣＰＵの制御による割込処理）
次に、図１４を参照して、メインＣＰＵ８３の制御による割込処理（１．１１７３ｍｓｅｃ）について説明する。はじめに、メインＣＰＵ８３は、レジスタの退避を行う（Ｓ１６１）。次に、メインＣＰＵ８３は、入力ポートチェック処理を行う（Ｓ１６２）。この処理では、ストップスイッチ５９Ｓ等の各種スイッチから入力される信号がチェックされる。
【００９５】
次に、メインＣＰＵ８３は、リール制御処理を行う（Ｓ１６３）。この処理では、全リールドラム３の回転開始が要求されたときに、出力軸２１に設けられたシザーズギヤ５が、駆動制御されたステッピングモータ７により回転駆動されることで、各リールドラム３は、回転を開始し、その後一定速度での回転を行う。また、滑り駒数が決定されたときは、該当リールドラム３の回転が滑り駒数分継続するのを待ってその回転の減速及び停止を行うよう、出力軸２１にシザーズギヤ５が設けられているステッピングモータ７の駆動が制御される。
【００９６】
次に、メインＣＰＵ８３は、ランプ・７セグ駆動処理を行う（Ｓ１６４）。次に、メインＣＰＵ８３は、レジスタの復帰を行う（Ｓ１６５）。この処理が終了すると、割込処理を終了する。
【００９７】
（本実施の形態の概要）
以上のように、本実施の形態のリール装置２は、複数の図柄１０が形成されたリール帯９と、リール帯９が外周面に設けられたリールドラム３と、リールドラム３の内周面に噛合され、リールドラム３を所定位置で回転可能に保持する複数のギヤ４と、複数のギヤ４のうち少なくとも一つのギヤを回転駆動する駆動機構７と、リールドラム３を任意の回転角度で停止可能に回転させるように駆動機構７を制御する駆動制御装置８とを有しており、複数のギヤ４のうち少なくとも一つのギヤは、駆動機構７により回転駆動されるメインギヤ１２と、メインギヤ１２と同形状の歯を有し、メインギヤ１２に対して相対的に回転自在に隣接されたサブギヤ１３と、メインギヤ１２とサブギヤ１３とを、回転方向で相反する方向に付勢する付勢手段（コイルばね１４）とを有しているシザーズギヤ５であるように構成されている。
【００９８】
上記の構成によれば、リールドラム３は、保持ギヤ群４と噛合することにより所定の場所に保持されているため、従来の回転軸と外周部をつなぐ、アームを有するリールドラムに比べて軽量化することができる。これにより、リールドラム３を回転ために必要なトルクを小さくすることができるため、リールドラム３を回転・停止させるときのシザーズギヤ５のトルク変動を小さくすることができる。このため、シザーズギヤ５における付勢手段１４の付勢力を従来よりも小さくすることができるため、サブギヤ１３を軸方向に対して傾けようとする傾動トルクを小さくすることができ、バックラッシュ低減効果を維持することができる。また、サブギヤ１３とメインギヤ１２との摩擦に基づく摩耗を抑制することができる。以上により、歯打音による騒音を抑制することができ、さらに、長期間の間、リールドラム３の外周面に設けられたリール帯９に形成されている図柄１０を精度良く停止させることができる。
【００９９】
従って、図１５に示すように、従来のリール装置では、リール帯９ａに一つの図柄１０を表示させることができる図柄表示可能領域３０ａは、バックラッシュによる停止位置のバラつきを考慮した大きさにしなければならなかったが、本発明に係るリール装置２では、図柄を精度よく停止させることができるため、リール帯９ｂに一つの図柄１０を表示させることができる図柄表示可能領域３０ｂは、表示窓５３の各領域５３０と略同じ大きさにすることができる。これにより、図柄１０を遊技者が見易いように大きくしたり、より多くの情報を図柄１０に表示させることが可能となる。
【０１００】
さらに、図１６及び図１７に示すように表示窓５３に表示させる図柄１０の表示形態にバリエーションを持たせることができる。
【０１０１】
図１６は、表示窓５３の領域５３０の数（図では９つ）を増やし、表示窓５３に表示させる図柄１０の数を増やした表示形態を示す図である。この場合、入賞判定ライン５４を増やすことができるため、遊技者に対してより興趣を与えることができる。
【０１０２】
図１７は、一つの図柄１０ａを、表示窓５３の二つ領域５３０に渡って表示するようにした表示形態を示す図である。図柄１０ａは、二つ領域５３０の境に上半分の図柄１０Ｕと下半分の図柄１０Ｂに分けられる。この構成によれば、上半分の図柄１０Ｕと下半分の図柄１０Ｂが、入賞役において区別しないとした場合、図１７に示すように入賞判定ライン５４ｂ上に『スイカ』の図柄が並んだことになる。このように、一つの領域５３０に一つの図柄１０を表示させていた表示形態に比べて、入賞役が入賞判定ライン５４上で並びやすくなるため、遊技者により大きな興趣を与えることができる。
【０１０３】
また、本発明のリール装置２において、シザーズギヤ５が複数であってよい。上記の構成によれば、複数のシザーズギヤ５がリールドラム３に噛合しているため、シザーズギヤ５各々における付勢手段１４の付勢力を小さくすることができる。これにより、サブギヤ１３を軸方向に対して傾けようとする傾動トルクを小さくすることができ、バックラッシュ低減効果を維持することができる。また、サブギヤ１３とメインギヤ１２との摩擦に基づく摩耗を抑制することができる。以上により、長期間の間、リールドラム３の外周面に設けられたリール帯９に形成された図柄１０を精度良く停止させることができる。さらに、歯打音による騒音を抑制することができる。
【０１０４】
また、本発明のリール装置２においては、保持ギヤ群４のギヤをリールドラム３に押圧する押圧機構２３を更に有していてよい。上記の構成によれば、バックラッシュの低減することができると共に、製造時における部品のバラツキを吸収することができるため、リールドラム３の外周面に設けられたリール帯９に形成された図柄１０を精度良く停止させることができる。さらに、歯打音による騒音を抑制することができる。
【０１０５】
また、本発明のリール装置２において、シザーズギヤ５におけるサブギヤ１３の軸方向への傾動を防止する傾動防止機構１５が更に設けられていてよい。上記の構成によれば、サブギヤ１３が軸方向に対しての傾動を抑制することができるため、シザーズギヤ５のバックラッシュ低減効果を維持することができると共に、メインギヤ１２とサブギヤ１３との摩擦に基づく摩耗を抑制することができる。これにより、長期間の間、リールドラム３の外周面に設けられたリール帯９に形成された図柄１０を精度良く停止させることができる。
【０１０６】
また、本発明のリール装置２において、シザーズギヤ５の付勢手段１４が一つのバネ部材からなっていてよい。上記の構成によれば、メインギヤ１２とサブギヤ１３とを、回転方向で相反する方向に付勢する付勢手段１４が一つのバネ部材からなるため、コストを削減できると共に、組立作業の工程を少なくすることができる。
【０１０７】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【０１０８】
例えば、本実施の形態において、一つのステッピングモータ７でリールドラム３の回転を制御していたが、これに限られるものではなく、複数のステッピングモータ７でリールドラム３の回転を制御してもよい。また、ステッピングモータ７に変速機構を設けていてもよい。
【０１０９】
図１８及び図１９は、本発明に係る実施例の変形例を示した図である。リール装置２は、二つのステッピングモータ７とクラッチ２４（２４Ｓ、２４Ｌ）を有し、二つのステッピングモータ７の回転駆動力はクラッチ２４を介して、それぞれの出力軸２１（２１Ｓ、２１Ｌ）に設けられたシザーズギヤ５（５Ｓ、５Ｓ）に伝達されるように構成されている。クラッチ切り替え機構２５は、クラッチ２４を制御することで、ステッピングモータ７の回転駆動力をシザーズギヤ５に伝達させたりさせなくすることができるように駆動制御装置８により制御されている。また、ステッピングモータ７の回転駆動力を伝達されるシザーズギヤ５（５Ｓ、５Ｌ）の大きさ（歯数）は、シザーズギヤ５が設けられた出力軸２１（２１Ｓ、２１Ｌ）毎に異なるため、クラッチ２４を制御することにより、リールドラム３の回転速度を容易に変速することができる。また、出力軸２１が二つあり、出力軸２１に設けられたシザーズギヤ５の数を増やすことができるため、一つ一つのシザーズギヤ５のコイルばね１４の付勢力を小さくすることができる。これにより、シザーズギヤ５におけるサブギヤ１３の傾動トルクを小さくすることができるため、長期間の間、バックラッシュ低減効果を維持することができ、図柄を精度よく停止させることができる。
【０１１０】
なお、変速機構は、上記の変形例にの態様に限らず、例えば、一つのステッピングモータ７の出力軸２１に歯数の異なる複数のシザーズギヤ５を設けて、クラッチ２４の制御により、該複数のシザーズギヤ５の何れかの回転駆動力をリールドラム３に伝達させるようにしてもよい。また、ステッピングモータ７とシザーズギヤ５との間に無段変速器を設けて、ステッピングモータ７の回転駆動力を無段変速器を介して伝達させてもよい。
【図面の簡単な説明】
【０１１１】
【図１】パチスロ遊技機が備えるリール装置についての説明図である。
【図２】本発明に係るパチスロ遊技装置の一例を模式的に示す斜視図である。
【図３】従来のリール装置と本発明に係るリール装置を模式的に示す図である。
【図４】本実施の形態におけるシザーズギヤの説明図であり、（ａ）は正面図、（ｂ）は部分的な側面図、（ｃ）はＡ−Ａ`断面図、（ｄ）はＢ−Ｂ`断面図である。
【図５】本実施の形態におけるリール装置の断面図を示す図である。
【図６】本実施の形態における変形例を示すリール装置の断面図である。
【図７】本実施の形態における押圧機構を説明する図である。
【図８】本実施の形態における変形例を示すリール装置の模式図である。
【図９】本実施の形態におけるパチスロ遊技装置の主制御回路の構成を示す図である。
【図１０】本実施の形態におけるパチスロ遊技装置の図柄配置テーブルを示す図である。
【図１１】本実施の形態におけるパチスロ遊技装置の図柄組合せテーブルを示す図である。
【図１２】本実施の形態におけるパチスロ遊技装置において実行されるメインＣＰＵの制御によるメインフローチャートを示す図である。
【図１３】本実施の形態におけるパチスロ遊技装置において実行されるリール停止制御処理を示す図である。
【図１４】本実施の形態におけるパチスロ遊技装置において実行されるメインＣＰＵの制御による割込処理を示す図である。
【図１５】本実施の形態における表示窓に表示させる図柄の表示態様の一例を示す図である。
【図１６】本実施の形態における表示窓に表示させる図柄の表示態様の一例を示す図である。
【図１７】本実施の形態における表示窓に表示させる図柄の表示態様の一例を示す図である。
【図１８】本発明の実施例の変形例であるリール装置を模式的に示す図である。
【図１９】本発明の実施例の変形例であるリール装置の断面図を示す図である。
【符号の説明】
【０１１２】
２  リール装置
３  リールドラム
４  リールドラムの内周面に噛合され、リールドラムを所定位置で回転可能に保持する複数のギヤ
７  駆動機構
８  駆動制御装置
９  図柄
１０  リール帯
１２  メインギヤ
１３  サブギヤ
１４  付勢手段（コイルばね）
【図１】
2010005160.tif 000003
【図２】
2010005160.tif 000004
【図３】
2010005160.tif 000005
【図４】
2010005160.tif 000006
【図５】
2010005160.tif 000007
【図６】
2010005160.tif 000008
【図７】
2010005160.tif 000009
【図８】
2010005160.tif 000010
【図９】
2010005160.tif 000011
【図１０】
2010005160.tif 000012
【図１１】
2010005160.tif 000013
【図１２】
2010005160.tif 000014
【図１３】
2010005160.tif 000015
【図１４】
2010005160.tif 000016
【図１５】
2010005160.tif 000017
【図１６】
2010005160.tif 000018
【図１７】
2010005160.tif 000019
【図１８】
2010005160.tif 000020
【図１９】
2010005160.tif 000021